(57)【特許請求の範囲】
【請求項１】
紙幣の入金及び釣銭紙幣の払い出しを行う紙幣釣銭機であって、
投入された紙幣及び／又は商品券を１枚ずつ取り込む受入部と、
紙幣及び／又は商品券を払い出す払出部と、
紙幣を金種別に収納し、収納している紙幣を繰り出すことができる複数の収納部と、
前記受入部により取り込まれた紙幣及び／又は商品券を搬送する搬送部と、
前記搬送部に設けられ、少なくとも商品券が正常であるか否かと当該商品券の額面情報とを識別し、当該商品券の計数を行う識別部と、
前記識別部により正常と識別された商品券を一時保留する一時保留部と、
入金指示に基づいて、前記一時保留されている商品券に対して所定処理を行い、返却指示に基づいて、前記一時保留されている商品券が前記払出部から払い出されるように制御を行う制御部と、
前記識別部による識別の結果取得された商品券に関する情報を表示する表示手段と、
を備える紙幣釣銭機。
【請求項２】
前記一時保留部は、前記複数の収納部の一部とされ、収納している紙幣及び／又は商品券を、収納順とは逆順に繰り出すことができることを特徴とする請求項１に記載の紙幣釣銭機。
【請求項３】
前記商品券の一時保留部として使用する収納部に収納されている紙幣の金種は、前記複数の収納部に収納される紙幣の金種の最高額であることを特徴とする請求項２に記載の紙幣釣銭機。
【請求項４】
紙幣及び商品券を回収する回収部をさらに備え、
前記所定処理は、前記一時保留部内の商品券を、前記回収部に搬送する回収処理を含むことを特徴とする請求項１乃至３のいずれかに記載の紙幣釣銭機。
【請求項５】
前記所定処理は、前記商品券の無効化処理を含むことを特徴とする請求項１乃至４のいずれかに記載の紙幣釣銭機。
【請求項６】
前記制御部は、前記商品券が前記一時保留部から繰り出される前、前記商品券が前記一時保留部から前記回収部へ搬送されている間、又は前記回収部への前記商品券の収納に伴い、前記無効化処理を施すことを特徴とする請求項５に記載の紙幣釣銭機。
【請求項７】
前記所定処理は、釣銭出金処理を含み、
前記制御部は、前記釣銭出金処理後に、前記回収処理又は前記無効化処理を行うことを特徴とする請求項４又は５に記載の紙幣釣銭機。
【請求項８】
前記一時保留部は前記払出部に含まれ、前記払出部は、商品券を前記一時保留部に保留し、保留している商品券を出金口から一纏めにして外部へ払い出すことを特徴とする請求項１に記載の紙幣釣銭機。
【請求項９】
前記制御部は、前記一時保留されていた商品券に対する前記識別部による第１識別結果と、前記入金指示に基づいて前記払出部から払い出された商品券が取り出された後に前記受入部に投入された商品券に対する前記識別部による第２識別結果とを比較し、一致するか否か判定することを特徴とする請求項８に記載の紙幣釣銭機。
【請求項１０】
前記払出部からの商品券の払い出しが、前記入金指示に基づく払い出しか、又は前記返却指示に基づく払い出しかを提示する提示部をさらに備えることを特徴とする請求項８又は９に記載の紙幣釣銭機。
【請求項１１】
紙幣及び商品券を回収する回収部をさらに備え、
前記識別部は、前記入金指示に基づいて前記払出部から払い出された商品券が取り出された後に前記受入部に投入された商品券に無効化処理が施されているか否か検出し、
前記制御部は、前記無効化処理が施された商品券を前記回収部に搬送し、前記無効化処理が施されていない商品券を前記払出部へ搬送するように前記搬送部を制御することを特徴とする請求項８乃至１０のいずれかに記載の紙幣釣銭機。
【発明の詳細な説明】
【技術分野】
【０００１】
本発明は、商品券を取り扱うことができる紙幣釣銭機に関するものである。
【背景技術】
【０００２】
一般に、小売店等において、商品券を機械処理する装置はレジと離れた後方の出納室等に設置されている。そのため、商品券の機械処理は、顧客に利用された時でなく、営業終了後などにまとめて行われていた。
【０００３】
係員が、顧客に利用された商品券を着服することを防止するために、商品券処理モードにおいて機内に取り込んだ商品券を出金リジェクト部に収納し、営業終了後に回収されるまで保管しておく紙幣釣銭機が提案されている（例えば特許文献１参照）。
【０００４】
商品券は、種類によって釣銭が出ないものがある。顧客は一旦商品券を出した後に、そのことに気付き、商品券での支払いから現金での支払いへの変更を要求する場合がある。しかし、上述のような従来の紙幣釣銭機は、機内に取り込んだ商品券を一時保留せずに出金リジェクト部へ送り込む。そのため、商品券の取り込み後に、顧客が商品券の利用のキャンセルを望んでも、商品券を返却することが出来ないという問題があった。
【先行技術文献】
【特許文献】
【０００５】
【特許文献１】特開２００７−２１３４９３号公報
【発明の概要】
【発明が解決しようとする課題】
【０００６】
本発明は、入金された商品券を一時保留し、顧客からの商品券返却要求に対応できる紙幣釣銭機を提供することを目的とする。
【課題を解決するための手段】
【０００７】
本発明の一態様による紙幣釣銭機は、紙幣の入金及び釣銭紙幣の払い出しを行う紙幣釣銭機であって、投入された紙幣及び／又は商品券を１枚ずつ取り込む受入部と、紙幣及び／又は商品券を払い出す払出部と、紙幣を金種別に収納し、収納している紙幣を繰り出すことができる複数の収納部と、前記受入部により取り込まれた紙幣及び／又は商品券を搬送する搬送部と、前記搬送部に設けられ、少なくとも商品券が正常であるか否かと当該商品券の額面情報とを識別し、当該商品券の計数を行う識別部と、前記識別部により正常と識別された商品券を一時保留する一時保留部と、入金指示に基づいて、前記一時保留されている商品券に対して所定処理を行い、返却指示に基づいて、前記一時保留されている商品券が前記払出部から払い出されるように制御を行う制御部と、識別部による識別の結果取得された商品券に関する情報を表示する表示手段と、を備えるものである。
【０００８】
本発明の一態様による紙幣釣銭機においては、前記一時保留部は、前記複数の収納部の一部とされ、収納している紙幣及び／又は商品券を、収納順とは逆順に繰り出すことができることが好ましい。
【０００９】
本発明の一態様による紙幣釣銭機においては、前記商品券の一時保留部として使用する収納部に収納されている紙幣の金種は、前記複数の収納部に収納される紙幣の金種の最高額であることが好ましい。
【００１０】
本発明の一態様による紙幣釣銭機においては、紙幣及び商品券を回収する回収部をさらに備え、前記所定処理は、前記一時保留部内の商品券を、前記回収部に搬送する回収処理を含むことが好ましい。
【００１１】
本発明の一態様による紙幣釣銭機においては、前記所定処理は、前記商品券の無効化処理を含むことが好ましい。
【００１２】
本発明の一態様による紙幣釣銭機においては、前記制御部は、前記商品券が前記一時保留部から繰り出される前、前記商品券が前記一時保留部から前記回収部へ搬送されている間、又は前記回収部への前記商品券の収納に伴い、前記無効化処理を施すことが好ましい。
【００１３】
本発明の一態様による紙幣釣銭機においては、前記所定処理は、釣銭出金処理を含み、前記制御部は、前記釣銭出金処理後に、前記回収処理又は前記無効化処理を行うことが好ましい。
【００１４】
本発明の一態様による紙幣釣銭機においては、前記一時保留部は前記払出部に含まれ、前記払出部は、商品券を前記一時保留部に保留し、保留している商品券を出金口から一纏めにして外部へ払い出すことが好ましい。
【００１５】
本発明の一態様による紙幣釣銭機においては、前記制御部は、前記一時保留されていた商品券に対する前記識別部による第１識別結果と、前記入金指示に基づいて前記払出部から払い出された商品券が取り出された後に前記受入部に投入された商品券に対する前記識別部による第２識別結果とを比較し、一致するか否か判定することが好ましい。
【００１６】
本発明の一態様による紙幣釣銭機においては、前記払出部からの商品券の払い出しが、前記入金指示に基づく払い出しか、又は前記返却指示に基づく払い出しかを提示する提示部をさらに備えることが好ましい。
【００１７】
本発明の一態様による紙幣釣銭機においては、紙幣及び商品券を回収する回収部をさらに備え、前記識別部は、前記入金指示に基づいて前記払出部から払い出された商品券が取り出された後に前記受入部に投入された商品券に無効化処理が施されているか否か検出し、前記制御部は、前記無効化処理が施された商品券を前記回収部に搬送し、前記無効化処理が施されていない商品券を前記払出部へ搬送するように前記搬送部を制御することが好ましい。
【発明の効果】
【００１８】
本発明によれば、入金された商品券を一時保留し、顧客からの商品券返却要求に対応できる。
【図面の簡単な説明】
【００１９】
【図１】本発明の第１の実施形態に係る紙幣釣銭機の水平断面図である。
【図２】同第１の実施形態に係る紙幣釣銭機の外観斜視図である。
【図３】同第１の実施形態に係る釣銭出金処理を説明するフローチャートである。
【図４】本発明の第２の実施形態に係る釣銭出金処理を説明するフローチャートである。
【図５】本発明の第３の実施形態に係る紙幣釣銭機の水平断面図である。
【図６】同第３の実施形態に係る釣銭出金処理を説明するフローチャートである。
【発明を実施するための形態】
【００２０】
以下、本発明の実施の形態を図面に基づいて説明する。
【００２１】
（第１の実施形態）図１に本発明の第１の実施形態に係る紙幣釣銭機の水平断面図を示し、図２に外観斜視図を示す。紙幣釣銭機は、筐体１００と、この筐体１００内の略中央部に設けられた環状の周回搬送部１０２ａとを備えている。また、受入部１０１、紙幣収納繰出部１０４ａ、１０４ｂ、１０４ｃ、払出部１０６、リジェクト部１０７、及び回収カセット１１１が、周回搬送部１０２ａの外周を取り囲むように配置されている。
【００２２】
受入部１０１、紙幣収納繰出部１０４ａ〜１０４ｃ、払出部１０６、リジェクト部１０７、及び回収カセット１１１と、周回搬送部１０２ａとの間に接続搬送部１０２ｂがそれぞれ設けられている。周回搬送部１０２ａには、通過する紙幣や商品券の識別、計数を行う識別部１０３が設けられている。
【００２３】
また、周回搬送部１０２ａと各接続搬送部１０２ｂとの間で紙幣や商品券の搬送経路を切り替える経路切替部（図示せず）が周回搬送部１０２ａに沿って配置されている。また、周回搬送部１０２ａと回収カセット１１１との間の接続搬送部１０２ｂには、押印部１１２が設けられている。
【００２４】
識別部１０３は、受入部１０１から取り込まれた紙幣の金種、真偽等の識別を行い、金種毎の枚数や金額の計数を行う。また、識別部１０３は、受入部１０１から取り込まれた商品券の額面、真偽等の識別を行い、額面毎の枚数や金額の計数を行う。
【００２５】
また、識別部１０３は、商品券に印字された管理番号を読み取り、制御部１０８に通知する。商品券には１枚毎に固有の管理番号が、ＯＣＲ（Optical Character Recognition）又はＭＩＣＲ（Magnetic Ink Character Recognition）で印字されている。管理番号は、商品券の発行会社や券種等の情報を示すものとなっている。制御部１０８は識別部１０３から通知された管理番号を記憶部１０９に格納する。
【００２６】
識別部１０３により金種識別が出来なかった紙幣や、偽造紙幣と識別された紙幣などの正常でない紙幣、及び受入部１０１からの取り込みが上手く行われず、重送、斜行、連鎖等の搬送異常となった搬送異常紙幣は、払出部１０６に搬送される。同様に、識別部１０３により正常に識別、計数されなかった商品券も払出部１０６に搬送される。払出部１０６は、搬送された紙幣や商品券を保留部１０６ａに一旦保留し、出金口１０６ｂから一纏めにして機外へ放出する。
【００２７】
識別部１０３により正常に識別、計数された紙幣は、金種別に紙幣収納部１０４ａ〜１０４ｃ又は回収カセット１１１に搬送されて収納される。例えば、千円紙幣は紙幣収納繰出部１０４ａ、五千円紙幣は紙幣収納繰出部１０４ｂ、一万円紙幣は紙幣収納繰出部１０４ｃに収納され、二千円紙幣は回収カセット１１１に収納される。
【００２８】
紙幣収納操出部１０４ａ〜１０４ｃは、紙幣の収納、繰り出しを行うことができる。また、紙幣収納操出部１０４ｃは、収納紙葉類を収納順とは逆順に繰り出すことができ、例えば、テープと共に紙葉類を巻き取る巻取りローラを有し、巻取りローラの巻き戻しによって紙葉類を繰り出す。本実施形態では、紙幣収納操出部１０４ａ〜１０４ｃに収納する紙幣のうち、最高額の金種の紙幣を紙幣収納操出部１０４ｃに収納する。紙幣収納操出部１０４ａ及び１０４ｂは、収納紙幣を収納順に繰り出すものでもよいし、収納順とは逆順に繰り出すものでもよい。
【００２９】
識別部１０３により正常に識別、計数された商品券は、紙幣収納操出部１０４ｃに搬送され、一時収納される。
【００３０】
識別部１０３による紙幣や商品券の識別、計数結果を、紙幣釣銭機の筐体１００の前部上面に設けられた操作表示部１１５に表示できるようにしてもよい。
【００３１】
制御部１０８はＰＯＳレジスタ２００に接続されている。ＰＯＳレジスタ２００は、顧客が購入した商品や顧客が受けるサービスの金額が店員によって手入力されたり、商品に付されたバーコードを読み取ったりすることで、取引金額を特定する。
【００３２】
ＰＯＳレジスタ２００は、顧客が支払った現金と商品券の金額を制御部１０８から受け取る。ＰＯＳレジスタ２００は、これらの金額を加算して、顧客からの預かり金額を特定する。
【００３３】
ＰＯＳレジスタ２００は、釣銭機に取り込んだ紙幣と商品券を、顧客からの預かり金として確定する確定指示（入金指示）が入力されると、預かり金額から取引金額を引いた釣銭額を算出し、釣銭紙幣の出金指示を制御部１０８に出力する。また、ＰＯＳレジスタ２００は、取引金額、預かり金額、釣銭額等をカスタマーディスプレイ２１０に表示させることができる。
【００３４】
ＰＯＳレジスタ２００は、顧客から支払われた現金及び商品券を全て返却する全返却指示、又は顧客から支払われた商品券のみを返却する商品券返却指示を受け付けると、全返却指示又は商品券返却指示を制御部１０８に出力する。なお、商品券返却指示は全ての商品券を返却する指示でもよいし、返却する商品券の枚数を指定できる指示でもよい。
【００３５】
制御部１０８は、ＰＯＳレジスタ２００から、釣銭紙幣の出金指示、又は紙幣及び／又は商品券の返却指示を受け付けると、受け付けた指示に基づいて各部の制御を行う。なお、返却指示は、操作表示部１１５を介して、制御部１０８に与えてもよい。
【００３６】
制御部１０８は、釣銭紙幣の出金指示を受け付けると、紙幣収納操出部１０４ａ及び１０４ｂから指定金額又は指定金種枚数の紙幣を繰り出し、払出部１０６から釣銭紙幣を払い出す。なお、紙幣収納操出部１０４ａ及び１０４ｂから繰り出された紙幣のうち、識別部１０３で正常に識別された紙幣が払出部１０６へ搬送され、正常に識別されなかった紙幣はリジェクト部１０７へ搬送される。
【００３７】
釣銭紙幣の払い出し後、制御部１０８は、紙幣収納操出部１０４ｃに一時収納されている商品券を回収カセット１１１へ搬送させる。押印部１１２は、回収カセット１１１に収納される商品券に済印を押印する。これにより商品券の無効化処理を行うことができる。なお、紙幣収納操出部１０４ｃに商品券より遅く収納された紙幣も回収カセット１１１へ搬送される。紙幣収納操出部１０４ｃは、収納紙葉類を収納順とは逆順に繰り出すためである。
【００３８】
制御部１０８は、全返却指示を受け付けると、紙幣収納部１０４ｃに一時収納されている商品券及び受入部１０１から取り込んだ紙幣と同じ金額分の紙幣を紙幣収納部１０４ａ〜１０４ｃから繰り出し、払出部１０６から払い出す。また、制御部１０８は、商品券返却指示を受け付けると、紙幣収納部１０４ｃに一時収納されている商品券を全て又は指定枚数だけ操り出し、払出部１０６から払い出す。
【００３９】
次に、本実施形態に係る紙幣釣銭機を用いた釣銭出金処理について、図３に示すフローチャートを用いて説明する。なお、取引金額はあらかじめ求められているものとする。
【００４０】
（ステップＳ１０１）顧客から支払われた紙幣及び商品券が受入部１０１に投入される。なお、紙幣及び商品券はまとめて投入してもよいし、別々に投入してもよい。別々に投入する場合は、ＰＯＳレジスタ２００が紙幣釣銭機に対して紙幣処理モードを指定してから紙幣を投入し、その後、ＰＯＳレジスタ２００が商品券処理モードを指定し、商品券を投入するようにしてもよい。
【００４１】
（ステップＳ１０２）受入部１０１が紙幣／商品券を１枚ずつ機内へ取り込む。
【００４２】
（ステップＳ１０３）識別部１０３が紙幣／商品券の識別、計数を行う。
【００４３】
（ステップＳ１０４）識別部１０３が紙幣／商品券を正常に識別できた場合はステップＳ１０５に進み、正常に識別できなかった場合はステップＳ１０８に進む。
【００４４】
（ステップＳ１０５）識別部１０３が紙幣を識別した場合はステップＳ１０６に進み、商品券を識別した場合はステップＳ１０７に進む。
【００４５】
（ステップＳ１０６）紙幣が金種に応じて紙幣収納操出部１０４ａ〜１０４ｃ、回収カセット１１１のいずれかへ搬送され、収納される。紙幣収納操出部１０４ｃに収納される紙幣は、紙幣収納操出部１０４ａ、１０４ｂに収納される紙幣よりも高額金種であり、例えば釣銭紙幣としては使用されない１万円紙幣である。また、回収カセット１１１へ搬送される紙幣は、釣銭紙幣や両替紙幣として出金されない紙幣、例えば２千円紙幣、が搬送される。
【００４６】
（ステップＳ１０７）商品券が紙幣収納操出部１０４ｃに搬送され、一時保留される。
【００４７】
（ステップＳ１０８）紙幣／商品券が払出部１０６へ搬送される。
【００４８】
（ステップＳ１０９）受入部１０１に投入された紙幣／商品券が全て取り込まれた場合はステップＳ１１０へ進み、受入部１０１に紙幣／商品券が残っている場合はステップＳ１０２に戻る。
【００４９】
（ステップＳ１１０）受入部１０１が取り込んだ紙幣と商品券の金額がＰＯＳレジスタ２００に入力される。これにより、ＰＯＳレジスタ２００は顧客からの預かり金額を特定する。
【００５０】
また、硬貨釣銭機が設けられている場合、顧客から支払われた硬貨の合計金額が硬貨釣銭機により計数され、ＰＯＳレジスタ２００は計数された硬貨の合計金額をさらに加算して預かり金額を算出する。
【００５１】
（ステップＳ１１１）釣銭機に取り込んだ商品券の種類や額面枚数が、カスタマディスプレイ２１０に表示される。商品券の種類によっては釣銭を出すことができないものもあるので、取り込んだ商品券による支払いの最終確認を顧客に対して行う。支払いの最終確認ができて、ＰＯＳレジスタ２００に確定指示（入金指示）が入力された場合はステップＳ１１２へ進み、入力されない場合はステップＳ１１４へ進む。
【００５２】
（ステップＳ１１２）ＰＯＳレジスタ２００が顧客からの預かり金額から取引金額を引いた釣銭額を算出し、釣銭紙幣の出金指示を制御部１０８に出力する。制御部１０８は、出金指示に基づいて釣銭に必要な紙幣を紙幣収納操出部１０４ａ、１０４ｂから繰り出し、払出部１０６から払い出す。
【００５３】
（ステップＳ１１３）紙幣収納操出部１０４ｃから商品券が繰り出され、回収カセット１１１へ搬送され、収納される。この時、押印部１１２が商品券に済印を押印することで、商品券の無効化処理が行われる。
【００５４】
なお、紙幣収納繰出部１０４ｃは、収納順と繰り出し順とが逆になるため、ステップＳ１０２における取り込みの際に、商品券より後に取り込まれ、紙幣収納繰出部１０４ｃに収納された紙幣がある場合、商品券回収の際に商品券だけでなく、その紙幣も回収カセット１１１に回収される。
【００５５】
（ステップＳ１１４）顧客が商品券による支払いをキャンセルしたことにより、釣銭機に取り込んだ紙幣と商品券の全てを返却する必要が生じ、ＰＯＳレジスタ２００から全返却指示が入力された場合はステップＳ１１５へ進み、入力されていない場合はステップＳ１１６へ進む。
【００５６】
（ステップＳ１１５）受入部１０１が取り込んだ紙幣及び商品券が全て返却される。具体的には、紙幣収納操出部１０４ａ〜１０４ｃに搬送され収納されている紙幣／商品券が繰り出され、払出部１０６へ搬送される。回収カセット１１１へ搬送された紙幣がある場合は、その紙幣と同額分の紙幣が紙幣収納操出部１０４ａ〜１０４ｃから繰り出され、払出部１０６へ搬送される。
【００５７】
（ステップＳ１１６）顧客が商品券による支払いをキャンセルしたことにより、釣銭機に取り込んだ商品券の全て、又は一部を返却する必要が生じ、ＰＯＳレジスタ２００から商品券返却指示が入力された場合はステップＳ１１７へ進み、入力されていない場合はステップＳ１１１に戻り、確定指示入力を待つ。
【００５８】
（ステップＳ１１７）受入部１０１が取り込んだ商品券が返却される。具体的には、紙幣収納操出部１０４ｃに一時保留されている商品券が繰り出され、払出部１０６に払い出される。商品券返却指示は、紙幣収納操出部１０４ｃに一時保留されている商品券を全て返却する指示か、又は、指定枚数の商品券を返却する指示である。商品券返却指示に基づいてＰＯＳレジスタ２００で管理している商品券の金額情報が修正される。このとき、払出部１０６から払い出した商品券情報をＰＯＳレジスタ２００に送信し、商品券返却指示により指示した枚数の商品券が払い出されたことを確認するようにしても良い。
【００５９】
なお、紙幣収納繰出部１０４ｃは、収納順と繰り出し順とが逆になるため、ステップＳ１０２における取り込みの際に、商品券より後に取り込まれ、紙幣収納繰出部１０４ｃに収納された紙幣がある場合、商品券返却の際に商品券だけでなく、その紙幣も紙幣収納繰出部１０４ｃから繰り出される。この紙幣は紙幣収納繰出部１０４ｃから繰り出されると、回収カセット１１１へ搬送される。
【００６０】
（ステップＳ１１８）紙幣の追加投入がある場合はステップＳ１０１に戻る。一方、紙幣の追加投入がない場合はステップＳ１１１に戻り、確定指示入力を待つ。紙幣の追加投入は、例えば、ステップＳ１１７で返却された商品券の金額分の支払いを現金（紙幣）で行うものである。
【００６１】
このように、本実施形態では、紙幣釣銭機内に取り込んで識別した商品券をすぐに回収カセット１１１へ搬送せず、紙幣収納操出部１０４ｃに一時保留する。そのため、顧客から返却要求があった場合に商品券を返却することができる。顧客は一旦商品券を出した後、その商品券が釣銭の出ない種類であることに気付いた場合などに、商品券での支払いから現金での支払いへの変更を要求することがある。本実施形態では、このような顧客からの要求に対応することができる。
【００６２】
また、商品券を、紙幣収納操出部１０４ａ、１０４ｂに収納される紙幣より高額で、釣銭として出金されない金種の紙幣、例えば一万円紙幣、を収納する紙幣収納操出部１０４ｃに一時保留することで、商品券を回収カセット１１１に収納する前に、釣銭の出金を行うことができる。従って、顧客を待たせることなく、速やかに釣銭出金を行うことができる。
【００６３】
さらに、本実施形態では、押印部１１２により商品券に済印を押印することで、商品券の無効化処理を行うことができる。また、この済印の押印は、釣銭出金後に行われる。すなわち、確定指示が入力された商品券について済印を押印するため、顧客へ返却する商品券に済印を押印することはなく、また、使用済みの商品券を区別することができ、商品券管理を確実に行うことができる。
【００６４】
上記第１の実施形態では、図１に示すように、押印部１１２を周回搬送部１０２ａと回収カセット１１１との間の接続搬送部１０２ｂに設けていたが、紙幣収納操出部１０４ｃの一部としたり、紙幣収納操出部１０４ｃと周回搬送部１０２ａとの間や、周回搬送部１０２ａ上に設けて、紙幣収納操出部１０４ｃから繰り出される商品券に済印を押印するようにしてもよい。但し、この場合、制御部１０８は、払出部１０６から返却する商品券には押印しないように押印部１１２を制御する。また、押印部１１２を回収カセット１１１の一部として設け、商品券への済印の押印は、回収カセット１１１への取り込みに伴い行われるようにしてもよい。
【００６５】
上記第１の実施形態では、済印の押印によって商品券の無効化を行っていたが、商品券に穴を開けることで無効化を行ってもよい。商品券への穴開けは、例えば、回収カセット１１１への取り込みに伴い行われる。
【００６６】
上記第１の実施形態では、紙幣収納操出部１０４ｃに商品券を一時保留していたが、商品券の一時保留のための収納操出部を別途設けてもよい。また、ステップＳ１０９で、紙幣と商品券を取り込んだ後に、ステップＳ１１０で紙幣と商品券の情報をＰＯＳレジスタ２００に出力するようにしたが、ステップＳ１１１で入金確定の確定指示を入力してから出力するようにしてもよく、このようにした場合は、ステップＳ１１７の情報の修正は不要となる。
【００６７】
（第２の実施形態）上記第１の実施形態では商品券を紙幣収納操出部１０４ｃに一時保留していたが、本実施形態では、払出部１０６の保留部１０６ａで一時保留する。紙幣釣銭機の構成は上記第１の実施形態と同様であるため、図１を用いて説明を行う。以下では、上記第１の実施形態とは異なる構成について説明する。
【００６８】
識別部１０３は、受入部１０１から取り込まれた商品券の識別、計数を行う。また、識別部１０３は、商品券の管理番号を読み取り、制御部１０８に通知する。制御部１０８は、通知された管理番号を記憶部１０９に格納する。識別部１０３により識別された商品券は全て払出部１０６へ搬送され、保留部１０６ａに一時保留される。
【００６９】
また、上記第１の実施形態では、紙幣収納操出部１０４ｃは収納紙幣を収納順とは逆順に繰り出す機構を有していたが、本実施形態ではそのような機構を有していなくてよい。
【００７０】
本実施形態では、払出部１０６には、正常に識別された商品券以外に、正常に識別されなかった紙幣や商品券も搬送される。そのため、制御部１０８は、正常に識別されなかった商品券があった場合、その旨を操作表示部１１５に提示したり、音を発して報知したりしてもよい。操作者（店員）は、操作表示部１１５の提示や、報知音によって、払出部１０６に正常に識別された商品券と正常に識別されなかった商品券とが混在していることを知ることができる。また、操作表示部１１５は、何枚目の商品券が正常に識別されなかったかを提示できるようにしてもよいし、正常に識別されなかった商品券であっても、管理番号の少なくとも一部を読み取ることができた場合は、管理番号の一部を提示できるようにしてもよい。これにより、店員は識別エラーの商品券を速やかに特定できる。
【００７１】
店員が、ＰＯＳレジスタ２００に商品券の金額及び確定指示を入力すると、釣銭が出金され、払出部１０６から商品券が払い出される。
【００７２】
釣銭出金後、紙幣釣銭機は、取り出された商品券の再投入を待ち受ける状態となる。店員は、取り出した商品券を受入部１０１に再投入する。再投入された商品券は識別部１０３により識別された後、回収カセット１１１へ搬送される。また、回収カセットへ収納される前に押印部１１２により済印が押印される。制御部１０８は、受入部１０１に再投入された商品券の管理番号と、記憶部１０９に格納されている管理番号とを比較し、不一致の商品券があった場合は払出部１０６へ搬送する。また、記憶部１０９に格納されている管理番号と同じ管理番号の商品券が取り込まれていない場合は、その旨を操作表示部１１５に提示させたり、音を発して報知したりする。
【００７３】
本実施形態に係る紙幣釣銭機を用いた釣銭出金処理について、図４に示すフローチャートを用いて説明する。
【００７４】
（ステップＳ２０１）顧客から支払われた紙幣及び商品券が受入部１０１に投入される。
【００７５】
（ステップＳ２０２）受入部１０１が紙幣／商品券を１枚ずつ機内へ取り込む。
【００７６】
（ステップＳ２０３）識別部１０３が紙幣／商品券の識別、計数を行う。
【００７７】
（ステップＳ２０４）識別部１０３が紙幣／商品券を正常に識別できた場合はステップＳ２０５に進み、正常に識別できなかった場合はステップＳ２０７に進む。
【００７８】
（ステップＳ２０５）識別部１０３が紙幣を識別した場合はステップＳ２０６に進む。識別部１０３が商品券を識別した場合は、商品券の管理番号が制御部１０８に通知され、ステップＳ２０７に進む。管理番号は記憶部１０９に格納される。
【００７９】
（ステップＳ２０６）紙幣が金種に応じて紙幣収納操出部１０４ａ〜１０４ｃ、回収カセット１１１のいずれかへ搬送され、収納される。
【００８０】
（ステップＳ２０７）商品券及び正常に識別されなかった紙幣が払出部１０６へ搬送され、保留部１０６ａに保留される。なお、正常に識別されなかった商品券が払出部１０６へ搬送される場合は、その旨が操作表示部１１５に提示されたり、報知音が発せられたりする。
【００８１】
（ステップＳ２０８）受入部１０１に投入された紙幣／商品券が全て取り込まれた場合はステップＳ２０９へ進み、受入部１０１に紙幣／商品券が残っている場合はステップＳ２０２に戻る。
【００８２】
（ステップＳ２０９）受入部１０１が取り込んだ紙幣と商品券の金額がＰＯＳレジスタ２００に出力される。これにより、ＰＯＳレジスタ２００は顧客からの預かり金額を特定する。
【００８３】
（ステップＳ２１０）ＰＯＳレジスタ２００に確定指示（入金指示）が入力された場合はステップＳ２１６へ進み、入力されない場合はステップＳ２１１へ進む。
【００８４】
（ステップＳ２１１）全返却指示が入力された場合はステップＳ２１２へ進み、入力されていない場合はステップＳ２１３へ進む。
【００８５】
（ステップＳ２１２）受入部１０１が取り込んだ紙幣及び商品券が全て返却される。具体的には、紙幣収納操出部１０４ａ〜１０４ｃに搬送され収納されている紙幣が繰り出され、払出部１０６へ搬送される。回収カセット１１１へ搬送された紙幣がある場合は、その紙幣と同額分の紙幣が紙幣収納操出部１０４ａ〜１０４ｃから繰り出され、払出部１０６へ搬送される。これら払出部１０６へ搬送された紙幣と、既に保留部１０６ａに収納されていた商品券とを、出金口１０６ｂから機外へ放出する。
【００８６】
（ステップＳ２１３）顧客が商品券による支払いをキャンセルしたことにより、釣銭機に取り込んだ商品券の全て、又は一部を返却する必要が生じ、ＰＯＳレジスタ２００からの指示により商品券を返却する場合はステップＳ２１４へ進み、返却しない場合はステップＳ２１０に戻り、確定指示入力を待つ。
【００８７】
（ステップＳ２１４）顧客からの返却要求に応じて、商品券が返却される。商品券の返却に基づいて、ＰＯＳレジスタ２００に、修正した商品券の金額情報を出力する。また、返却する商品券の管理番号が記憶部１０９から消去される。
【００８８】
（ステップＳ２１５）紙幣の追加投入がある場合はステップＳ２０１に戻り、追加投入がない場合はステップＳ２１０に戻り、確定指示入力を待つ。紙幣の追加投入は、例えば、ステップＳ２１４で返却された商品券の金額分の支払いを現金（紙幣）で行うものである。
【００８９】
（ステップＳ２１６）保留部１０６ａに保留されている紙幣及び商品券が出金口１０６ｂから放出され、店員が取り出す。
【００９０】
（ステップＳ２１７）ＰＯＳレジスタ２００が顧客からの預かり金額から取引金額を引いた釣銭額を算出し、釣銭紙幣の出金指示を制御部１０８に出力する。制御部１０８は、出金指示に基づいて釣銭に必要な紙幣を紙幣収納操出部１０４ａ〜１０４ｃから繰り出し、払出部１０６から払い出す。釣銭出金後、紙幣釣銭機は商品券の再投入を待ち受ける状態になる。
【００９１】
（ステップＳ２１８）ステップＳ２１６で取り出された商品券が受入部１０１に再度投入される。
【００９２】
（ステップＳ２１９）受入部１０１が商品券を１枚ずつ機内へ取り込む。
【００９３】
（ステップＳ２２０）識別部１０３が商品券の識別、計数を行い、管理番号を読み取る。
【００９４】
（ステップＳ２２１）ステップＳ２１９で読み取られた管理番号と、記憶部１０９に格納されている管理番号とが比較される。一致する場合はステップＳ２２２に進み、不一致の場合はステップＳ２２３へ進む。
【００９５】
（ステップＳ２２２）商品券が回収カセット１１１へ搬送され、収納される（回収処理が行われる）。この時、押印部１１２が商品券に済印を押印することで、商品券の無効化処理が行われる。
【００９６】
（ステップＳ２２３）商品券が払出部１０６へ搬送される。ステップＳ２０１〜Ｓ２０９において処理された商品券ではないと判定されるためである。
【００９７】
（ステップＳ２２４）受入部１０１に投入された商品券が全て取り込まれた場合はステップＳ２２５へ進み、受入部１０１に商品券が残っている場合はステップＳ２１９に戻る。
【００９８】
（ステップＳ２２５）記憶部１０９に格納されている管理番号が付された商品券のうち、まだ回収カセット１１１に収納されていないものがある場合はステップＳ２２６へ進み、全て回収カセット１１１に収納された場合は処理を終了する。
【００９９】
（ステップＳ２２６）まだ投入されていない商品券があることを、操作表示部１１５が提示したり、報知音を発したりして、店員に知らせる。
【０１００】
このように、本実施形態では、紙幣釣銭機内に取り込んで識別した商品券を払出部１０６へ搬送し、保留部１０６ａに保留した後、出金口１０６ｂから機外へ放出する。そのため、顧客から商品券の返却要求があった場合に、商品券を返却することができる。
【０１０１】
また、機外へ放出した商品券の管理番号を記憶しておき、再投入された商品券の管理番号と比較し、回収することで、商品券を確実に管理することができる。
【０１０２】
さらに、押印部１１２により商品券に済印を押印することで、商品券の無効化処理を行うことができる。なお、ステップＳ２１６の商品券の取り出しと、ステップＳ２１２の全返却と、ステップＳ２１４の商品券の返却とを区別するため、操作表示部１１５による表示や、報知音により、処理の内容を出力するようにしてもよい。
【０１０３】
（第３の実施形態）図５に本発明の第３の実施形態に係る紙幣釣銭機の水平断面図を示す。本実施形態は、図１に示す紙幣釣銭機と比較して、押印部１１２が設けられていない点が異なる。図５において、図１に示す紙幣釣銭機の構成要素と同一部分には同一符号を付して説明を省略する。
【０１０４】
本実施形態の紙幣釣銭機の動作は、上記第２の実施形態と比較して、商品券の無効化処理（済印の押印や穴開け）が機外で行われる点と、識別部１０３が商品券に無効化処理が施されているか否かを検出する点が異なる。例えば、識別部１０３は商品券の画像を検出するラインセンサを有し、画像を解析して済印や穴の有無を検出する。
【０１０５】
本実施形態に係る紙幣釣銭機を用いた釣銭出金処理について、図６に示すフローチャートを用いて説明する。図６におけるステップＳ３０１〜Ｓ３１７は図４におけるステップＳ２０１〜Ｓ２１７と同様であるため、説明を省略する。
【０１０６】
（ステップＳ３１８）ステップＳ３１６で機外に取り出された商品券に対する無効化処理が施される。例えば、店員が取り出した商品券に済印を押印する。
【０１０７】
（ステップＳ３１９）ステップＳ３１６で取り出された商品券が受入部１０１に再度投入される。
【０１０８】
（ステップＳ３２０）受入部１０１が商品券を１枚ずつ機内へ取り込む。
【０１０９】
（ステップＳ３２１）識別部１０３が商品券の識別、計数を行い、管理番号を読み取る。また、識別部１０３は商品券に無効化処理が施されているか否か検出する。
【０１１０】
（ステップＳ３２２）ステップＳ３２１で読み取られた管理番号と、記憶部１０９に格納されている管理番号とが比較される。一致する場合はステップＳ３２３に進み、不一致の場合はステップＳ３２６へ進む。
【０１１１】
（ステップＳ３２３）商品券に無効化処理が施されている場合はステップＳ３２４に進み、施されていない場合はステップＳ３２５に進む。
【０１１２】
（ステップＳ３２４）商品券が回収カセット１１１へ搬送され、収納される。
【０１１３】
（ステップＳ３２５）無効化処理が施されていない商品券が払出部１０６へ搬送され機外へ放出される。この商品券は機外で無効化処理が施された後、受入部１０１に再投入される。
【０１１４】
（ステップＳ３２６）商品券が払出部１０６へ搬送される。ステップＳ３０１〜Ｓ３０９において処理された商品券ではないと判定されるためである。
【０１１５】
（ステップＳ３２７）受入部１０１に投入された商品券が全て取り込まれた場合はステップＳ３２８へ進み、受入部１０１に商品券が残っている場合はステップＳ３２０に戻る。
【０１１６】
（ステップＳ３２８）記憶部１０９に格納されている管理番号が付された商品券のうち、まだ回収カセット１１１に収納されていないものがある場合はステップＳ３２９へ進み、全て回収カセット１１１に収納された場合は処理を終了する。このとき、店員による無効化処理により管理番号が正しく読み取れないため不一致となる場合がある。これに対処するため、払い出された商品券を目視確認し、強制入金するモードや、入金せずに強制終了するモードを設けても良い。
【０１１７】
（ステップＳ３２９）まだ投入されていない商品券があることを、操作表示部１１５が提示したり、報知音を発したりして、店員に知らせる。
【０１１８】
このように、本実施形態では、上記第２の実施形態と同様に、紙幣釣銭機内に取り込んで識別した商品券を払出部１０６へ搬送し、保留部１０６ａに保留した後、出金口１０６ｂから機外へ放出する。そのため、顧客から商品券の返却要求があった場合に、商品券を返却することができる。
【０１１９】
また、機外へ放出した商品券の管理番号を記憶しておき、再投入された商品券の管理番号と比較し、回収することで、商品券を確実に管理することができる。また、機外で無効化処理を行うため、押印部１１２を設ける必要が無く、装置サイズを低減できる。また、識別部１０３が、商品券に無効化処理が施されているか否か確認するため、顧客が使用した商品券に対して確実に無効化処理を施すことができる。
【０１２０】
上記第３の実施形態では、再投入された商品券は回収カセット１１１へ搬送され、収納されていたが、払出部１０６へ搬送してもよい。店員は払出部１０６から機外へ放出された無効化処理済みの商品券を回収し、別途保管する。なお、無効化処理が施されていない商品券や記憶部１０９に管理番号が格納されていない商品券も払出部１０６へ搬送されるため、このような商品券が存在する場合は、その旨を操作表示部１１５が提示したり、報知音で店員に知らせたりすることが好適である。
【０１２１】
上記実施形態では、釣銭出金前に紙幣釣銭機へ商品券を投入していたが、釣銭出金前は商品券の合計金額をＰＯＳレジスタ２００に手入力し、釣銭出金後に、釣銭機への投入と無効化処理とを行うようにしてもよい。
【０１２２】
具体的には以下のように釣銭出金処理が行われる。取引金額が求められた後、顧客が紙幣及び商品券を用いて支払いを行う。店員は、紙幣と商品券の合計金額をＰＯＳレジスタ２００に手入力する。ＰＯＳレジスタ２００は顧客からの預かり金額を特定し、確定指示の入力に伴い、この預かり金額から取引金額を引いて、釣銭額を算出し、釣銭紙幣の出金指示を紙幣釣銭機へ出力する。また、ＰＯＳレジスタ２００は手入力された商品券の合計金額を紙幣釣銭機に通知する。
【０１２３】
紙幣釣銭機が出金指示に基づいて釣銭の出金を行った後、店員が手作業で商品券の無効化処理を行い、紙幣釣銭機へ投入する。紙幣釣銭機は、投入された商品券の識別、計数を行い、回収カセットに回収する。この時、紙幣釣銭機は、投入された商品券の合計金額とＰＯＳレジスタ２００から通知された合計金額とを比較し、不一致であれば、その旨を操作表示部１１５が提示したり、報知音で店員に知らせたりする。また、紙幣も釣銭機へ投入され、金種別に収納される。
【０１２４】
このように、釣銭出金後に、商品券の無効化処理を手作業で行い、紙幣釣銭機の回収カセットに回収することで、上記実施形態における商品券の一時保留機能や、無効化処理機能を紙幣釣銭機に設ける必要がなくなり、紙幣釣銭機のコストを削減できる。または、無効化処理手段としての押印部１１２のみを設けて、無効化処理は自動的に処理できるが、一時保有機能のみを設けないことで簡素化した装置とすることもできる。
【０１２５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１２６】
１００  筐体
１０１  受入部
１０２ａ  周回搬送部
１０２ｂ  接続搬送部
１０３  識別部
１０４ａ〜１０４ｃ  紙幣収納繰出部
１０６  払出部
１０７  リジェクト部
１０８  制御部
１０９  記憶部
１１１  回収カセット
１１２  押印部
【図１】
0005619442.tif 000002
【図２】
0005619442.tif 000003
【図３】
0005619442.tif 000004
【図４】
0005619442.tif 000005
【図５】
0005619442.tif 000006
【図６】
0005619442.tif 000007